Podtech/llm-jp-corpus-v4-ja_patent huggingface dataset:
(57)【要約】      （修正有）【課題】収容部の内側面の摩擦力を大きくし、必要な分量の内容物を的確に取り出すことができると共に、調理用具としても優れたチャック付き袋体を安価に提供する。【解決手段】開口部近傍の内側面に雌雄爪型のチャック３を備えた合成樹脂製のチャック付き袋体１において、内容物を収容する収容部の内側面に、チャック３に対して平行な複数のリブ条５ａから成る凹凸形状部５を一体に設ける。各リブ条５は、断面形状が三角形状にそれぞれ形成されている。【選択図】図１
0003162456.tif 000002
【実用新案登録請求の範囲】
【請求項１】
開口部近傍の内側面に雌雄爪型のチャックを備えた合成樹脂製のチャック付き袋体において、内容物を収容する収容部の内側面に、チャックに対して平行な複数のリブ条から成る凹凸形状部を一体に設けたことを特徴とするチャック付き袋体。
【請求項２】
前記各リブ条は、断面形状が三角形状にそれぞれ形成されていることを特徴とする請求項１のチャック付き袋体。
【考案の詳細な説明】
【技術分野】
【０００１】
本考案は、合成樹脂製のチャック付き袋体に関する。
【背景技術】
【０００２】
合成樹脂製のチャック付き袋体として、開口部近傍の内側面に雌雄爪型のチャックを備えたものが広く用いられている。このようなチャック付き袋体において、袋を開く際の開き易さを向上させるため、チャック上方の開口摘み部にチャックと平行な複数の凹凸条を形成したものがあった（例えば、特許文献１参照。）。
【先行技術文献】
【特許文献】
【０００３】
【特許文献１】実開平２−１０７３２６号公報
【考案の概要】
【考案が解決しようとする課題】
【０００４】
しかし、上述の特許文献１のものでは、チャック付き袋体では、内容物を収容する収容部の内側面は、滑らかな面となっていることから、ネジやナット等の小さな工具類や、ボタンやビーズ等の手芸用品類等の細かい部品を複数収容した場合に、チャックを開け、袋体を傾けて内容物を取り出す際に、必要以上に内容物が溢れ出てしまうことがあった。
【０００５】
また、上述のチャック付き袋体を、肉類や野菜類に下味をつけたり、漬け込んだりするための調理用具として使用する際には、肉類や野菜類と調味料とを袋体に入れて揉み込む作業を行うが、袋体の内側面が滑らかな面となっていることから、味を染み込ませるまで揉み込むのに時間が掛かっていた。
【０００６】
そこで本考案は、収容部の内側面の摩擦力を大きくし、必要な分量の内容物を的確に取り出すことができると共に、調理用具としても優れたチャック付き袋体を安価に提供することを目的としている。
【課題を解決するための手段】
【０００７】
上記の目的を達成するため本考案は、開口部近傍の内側面に雌雄爪型のチャックを備えた合成樹脂製のチャック付き袋体において、内容物を収容する収容部の内側面に、チャックに対して平行な複数のリブ条から成る凹凸形状部を一体に設けたことを特徴とし、前記各リブ条の断面形状を三角形状にそれぞれ形成すると好適である。
【考案の効果】
【０００８】
本考案のチャック付き袋体は、収容部の内側面に、チャックに対して平行な複数のリブ条から成る凹凸形状部を設けたことにより、内側面の摩擦力を大きくすることができ、必要な分量の内容物を的確に取り出すことができる。さらに、肉類や野菜類に下味をつけたり、漬け込んだりするための調理用具として使用する際にも、内側面の摩擦力が大きくなっていることから、短い時間で揉み込み作業を良好に行うことができる。また、凹凸形状部を収容部の内側面に一体に形成することから、コストが嵩む虞がない。
【図面の簡単な説明】
【０００９】
【図１】本考案の一形態例を示すチャック付き袋体の正面図である。
【図２】図１のII-II断面図である。
【図３】同じくチャック付き袋体の要部断面図である。
【考案を実施するための形態】
【００１０】
以下、本考案の一形態例を図面に基づいて詳しく説明する。本形態例のチャック付き袋体１は合成樹脂で形成されるもので、一対の側面シート２，２と該側面シート２，２を繋ぐ底面部２ａとが一体に形成され、側面シート２，２の上部内側面には雌雄爪型のチャック３が設けられ、該チャック３よりも底面部側が内容物の収容部４となる。収容部４の内側面のチャック近傍は平滑面２ｂとなっており、該平滑面２ｂよりも底面部２ａ側の内側面は、チャック３に対して平行な、断面三角形状の複数のリブ条５ａから成る凹凸形状部５が設けられている。また、側面シート２，２は、上端部２ｃ，２ｄから底面部２ａまでの長さ寸法が異なるように形成され、上端部２ｃ，２ｄがずれた状態となっている。
【００１１】
このようなチャック付き袋体１は、例えば、環状のスリットを有する内外一対の円形のダイスで、内側のダイスの外面に、チャック３の成形部と、凹凸形状部５の成形部とを備えたものを用いて形成される。まず、前記内外一対のダイスを用いて、合成樹脂を円筒状に押し出すことにより、側面シート２，２及び底面部２ａと、チャック３と、複数のリブ条５ａを備えた凹凸形状部５とを一体に備えた原反シートを成形する。次いで、この原反シートを、製袋機に掛けて、底面部２ａを折畳み、サイドシールを施し、上端部２ｃ，２ｄをカットすることで、チャック付き袋体１が連続的に形成される。
【００１２】
上述のように形成されたチャック付き袋体１は、収容部４の内側面に、チャック３に対して平行な複数のリブ条５ａから成る凹凸形状部５が設けられていることから、内側面の摩擦力を大きくすることができる。これにより、収容部４にネジやナット等の工具類や、ボタンやビーズ等の手芸用品類等、細かい部品を纏めて収容した場合に、チャック３を開け、袋体１を傾けて内容物を取り出す際に、必要以上に内容物が溢れ出ることを防止できる。また、袋体１の表面は平滑面となっていることから、表面への印刷が可能となり、内容物の名前の表示や商品説明を印刷することができる。
【００１３】
さらに、この袋体１を、肉類や野菜類に下味をつけたり、漬け込んだりするための調理用具として使用する際にも、内側面の摩擦力が大きくなっていることから、短い時間で揉み込み作業を良好に行うことができる。
【００１４】
また、上述の形態例では、側面シート２，２は、上端部２ｃ，２ｄから底面部２ａまでの長さ寸法が異なるように形成され、上端部２ｃ，２ｄがずれた状態となっていることから、側面シート２，２を別々に掴みやすく、チャック３の開閉を容易に行うことができる。
【００１５】
さらに、前記チャック付き袋体１は、側面シート２，２及び底面部２ａと、チャック３と、複数のリブ条５ａを備えた凹凸形状部５とが一体に成形されることから、コストの低減化を図ることができる。
【００１６】
尚、本考案のチャック付き袋体は、上述の形態例に限るものではなく、凹凸形状部は、少なくとも袋体の収容部の上部位置に設けてあれば良く、また、リブ条の断面形状も三角形状に限るものではない。さらに、側面シートの上端部はずれた状態となっていなくても良く、上端部に玉縁を形成したものでも良い。
【符号の説明】
【００１７】
１…チャック付き袋体、２…側面シート、２ａ…底面部、２ｂ…平滑面、２ｃ，２ｄ…上端部、３…チャック、４…収容部、５…凹凸形状部、５ａ…リブ条
【図１】
0003162456.tif 000003
【図２】
0003162456.tif 000004
【図３】
0003162456.tif 000005
(57)【要約】      （修正有）【課題】十能あるいは小さなスコップがなしでも、所望の土、砂利等を簡単に得ることができる園芸用ふるいを提供する。【解決手段】園芸用ふるいにおいて、断面円形の筒体の一端に円形の金網を張るように嵌め込み固定し、筒体の他端を上向傾斜した切欠き開口部を形成し、土、砂利等をすくい易くするため、筒体の金網を張っている一端の径より、筒体の切欠き開口部を形成した他端の径を大きくし、かつ、筒体を変形して、筒体の側面から見て、筒体の下面を曲線に形成し、筒体の上部に握り部を設ける。【選択図】図１
0003162482.tif 000002
【実用新案登録請求の範囲】
【請求項１】
断面円形の筒体の一端に円形の金網を張るように嵌め込み固定し、筒体の他端を上向傾斜した切欠き開口部を形成し、土、砂利等をすくい易くするため、筒体の金網を張っている一端の径より、筒体の切欠き開口部を形成した他端の径を大きくし、かつ、筒体を変形して、筒体の側面から見て、筒体の下面を曲線に形成し、筒体の上部に握り部を設けたことを特徴とする園芸用ふるい。
【請求項２】
断面多角形の筒体の一端に多角形の金網を張るように嵌め込み固定し、筒体の他端を上向傾斜した切欠き開口部を形成し、土、砂利等をすくい易くするため、筒体の金網を張っている一端の径より、筒体の切欠き開口部を形成した他端の径を大きくし、かつ、筒体を変形して、筒体の側面から見て、筒体の下面を曲線に形成し、筒体の上部に握り部を設けたことを特徴とする園芸用ふるい。
【考案の詳細な説明】
【技術分野】
【０００１】
本考案は、園芸用ふるいに関するものである。
【背景技術】
【０００２】
従来、園芸用ふるいあるいは一般用ふるいは、断面円形の扁平型筒の一端の内径に金網を張る形状である。
【先行技術文献】
【特許文献】
【０００３】
【特許文献１】特開２０１０−８９０６２号公報
【特許文献２】特開２００６−７０６８０号公報
【考案の開示】
【考案が解決しようとする課題】
【０００４】
従来、園芸用ふるいは、断面円形の扁平型筒の一端の内径に金網を張る形状であったので、土、砂利等を園芸用ふるいに入れるには、十能（じゅうのう）、あるいは小さいスコップを使っていた。そのため、園芸用ふるいに土、砂利等を入れるのに、いちいち十能、あるいは小さいスコップを使って園芸用ふるいに土、砂利等を入れなければならなかった。そこで、十能、あるいは小さいスコップなしでも園芸用ふるいに土、砂利等を入れられるようにした。
【課題を解決するための手段】
【０００５】
本考案は、断面円形の筒体の一端に円形の金網を張るように嵌め込み固定し、筒体の他端を上向傾斜した切欠き開口部を形成し、土、砂利等をすくい易くするため、筒体の金網を張っている一端の径より、筒体の切欠き開口部を形成した他端の径を大きくし、かつ、筒体を変形して、筒体の側面から見て、筒体の下面を曲線に形成し、筒体の上部に握り部を設けたものである。
【０００６】
また、第2の課題解決手段は、筒体の断面形状を多角形にし、断面多角形の筒体の一端に多角形の金網を張るように嵌め込み固定し、筒体の他端を上向傾斜した切欠き開口部を形成し、土、砂利等をすくい易くするため、筒体の金網を張っている一端の径より、筒体の切欠き開口部を形成した他端の径を大きくし、かつ、筒体を変形して、筒体の側面から見て、筒体の下面を曲線に形成し、筒体の上部に握り部を設けたものである
【考案の効果】
【０００７】
本考案の園芸用ふるいによると、十能、あるいは小さいスコップが不要であり、土や砂利等を直接、本考案の園芸用ふるいに入れると、土や砂利等がふるいにかかり、金網の目をくぐりぬけた土や砂を入手できる。しかも、片手で作業ができる。
また、本考案の構造が大変簡単であるので、安価に提供できる。
【図面の簡単な説明】
【０００８】
【図１】図１は、本考案の一実施例で、本考案の斜視図である。
【図２】図２は、本考案の一実施例で、本考案の平面図である。
【図３】図3は、本考案の一実施例の中央縦断面図である。
【考案を実施するための形態】
【０００９】
本考案は、断面円形の筒体の一端に円形の金網を張るように嵌め込み固定し、筒体の他端を上向傾斜した切欠き開口部を形成し、土、砂利等をすくい易くするため、筒体の金網を張っている一端の径より、筒体の切欠き開口部を形成した他端の径を大きくし、かつ、筒体を変形して、筒体の側面から見て、筒体の下面を曲線に形成し、筒体の上部に握り部を設けたものである。
【００１０】
本考案の園芸用ふるいは、まず、園芸用ふるいの握り部を持ち、筒体の切欠き開口部で土、砂利等をすくい上げ、筒体の中に土、砂利等を入れ、筒体の切欠き開口部を上に筒体を立ち上げることによって土、砂利等が筒体の金網でふるいにかかり、金網の目より小さいものは金網の目をすり抜けて下に落下し、金網の目より大きいものは、金網のところで停止し、それを切欠き開口部から外に出すことによって所望の土、砂利等を選別できる。
【実施例１】
【００１１】
図１、図２および図3は、本考案の園芸用ふるいの一実施例であって、断面円形の筒体１の一端に円形の金網２を張るように嵌め込み固定し、筒体１の他端を上向傾斜した切欠き開口部３を形成し、土、砂利等をすくい易くするため、筒体１の金網２を張っている一端の径より、筒体１の切欠き開口部３を形成した他端の径を大きくし、かつ、筒体１を変形して、筒体１の側面から見て、筒体１の下面４を曲線に形成し、筒体１の上部に握り部５を設けたものである。
【実施例２】
【００１２】
別の実施例は、図1、図2および図３に示す断面円形の筒体1を断面多角形にし、また円形の金網２を多角形にしたものである。
【産業上の利用可能性】
【００１３】
園芸分野において、所望の土、砂利等を必要とする際、本考案の園芸用ふるいで直接土、砂利等をすくうだけで、筒体の中に土、砂利等を通すことによって所望の土、砂利等が得られる。
【符号の説明】
【００１４】
１・・・筒体
２・・・金網
３・・・切欠き開口部
４・・・筒体の下面
５・・・握り部
【図１】
0003162482.tif 000003
【図２】
0003162482.tif 000004
【図３】
0003162482.tif 000005
(57)【要約】      （修正有）【課題】所望の中敷きの機能を保ちつつ、靴内部の通気性を高めることができる中敷きを有する深靴を提供する。【解決手段】くるぶしより上まである深靴１は中敷き１０を有していて、中敷き１０は深靴１の内部にある靴底部３の表面に敷設され、靴底部３の表面に接する部分の一部が接着して靴底３部に固定される。これにより、中敷き１０を敷設しても靴底部３との間に隙間ができ、通気性を高めることができる。【選択図】図２
0003162485.tif 000002
【実用新案登録請求の範囲】
【請求項１】
くるぶしより上まである深靴において、
前記深靴の内部にある靴底の表面に敷設し、前記靴底の表面に接する部分の一部が接着して前記靴底に固定される中敷きを備えることを特徴とする深靴。
【請求項２】
前記中敷きの踵部の厚さがつま先部の厚さより厚いことを特徴とする請求項１記載の深靴。
【考案の詳細な説明】
【技術分野】
【０００１】
本考案は、良好な履き心地を得ることができる中敷きを有する靴に関する。
【背景技術】
【０００２】
靴は、一般的に、くるぶしより上まである深い靴であるブーツまたは長靴などの深靴と、くるぶしに達しない浅い靴であるスニーカーなどの浅靴とに分けられる。
【０００３】
靴の履き心地を快適にするために、中敷きを使用している靴がある。中敷きにはその目的により様々な機能が施されていて、中敷きを用いることにより、例えば、靴の安定性や保温性、クッション性、路面把握性などを高めることができる。
【０００４】
中敷きには、靴に着脱可能に装着するものと、靴の靴底に固定されているものがある。靴に着脱可能に装着する中敷きの一例として、特開２００７−２８３０１６には着脱可能な中敷きを用いるルームシューズが開示されている。中敷きを用いることにより床からの衝撃を和らげ、足裏を安定した状態に保つことができる。
【先行技術文献】
【特許文献】
【０００５】
【特許文献１】特開２００７−２８３０１６
【考案の概要】
【考案が解決しようとする課題】
【０００６】
しかしながら、着脱式の中敷きを靴に適用した場合、中敷きが靴の中で動いてしまうことがあった。また、深靴に靴底に接着する中敷きを適用すると、通気性が悪くなり、熱や湿気がこもり、靴内部が蒸れる原因となっていた。
【０００７】
そこで、本考案は、所望の中敷きの性能を保ちつつ、靴内部の通気性を高めることができる中敷きを有する深靴を提供することを課題とする。
【課題を解決するための手段】
【０００８】
本考案は、くるぶしより上まである深靴において、深靴の内部にある靴底の表面に敷設し、靴底の表面に接する部分の一部が接着して靴底に固定される中敷きを備える。
【０００９】
また、中敷きの踵部の厚さがつま先部の厚さより厚いことが好ましい。
【考案の効果】
【００１０】
本考案の深靴は、中敷きの一部が靴底の表面に固定されているので、深靴を履いて歩いても中敷きが靴内部でずれることがない。また、中敷きの一部のみが靴底の表面に固定されているので、中敷きを靴底から離すことができ、靴底と中敷きの間に隙間が形成されるため、靴内部に熱や湿気がこもらず、通気性を高めることができる。
【００１１】
中敷きの踵部の厚さをつま先部の厚さより厚くすることにより、より安定して歩行することが可能となる。
【図面の簡単な説明】
【００１２】
【図１】図１は本考案の実施の形態に係る深靴の中敷きを示す側面図である。
【図２】図２は本考案に実施の形態に係る図１の中敷きを有する深靴を示す側面図である。
【考案を実施するための形態】
【００１３】
図１は本考案の中敷きを有する深靴の中敷きを示す側面図であり、図２は、本考案の中敷きを有する深靴の実施の形態を示す側面図である。
【００１４】
図１に示すように、中敷き１０は、中敷き本体部１１と中敷き足底部１２とを有していて、踵部１４の高さ（厚さ）をつま先部１３の高さ（厚さ）より高く（厚く）形成している。本実施の形態では、中敷き本体部１１には低反発ウレタン材を用い、中敷き足底部１２には、弾力性と衝撃吸収性に優れているコルクを用いている。
【００１５】
ここで、中敷きに用いる材料として前述のものに限定されることはなく、所望の材料、例えばゴム材を用いることができ、また、中敷き本体部１１と中敷き足底部１２に同一の材料を用いることができる。また、中敷き本体部１１と中敷き足底部１２をそれぞれ一層で形成せずに、複数の層により形成してもよい。また、中敷きの材料は、所望する機能、例えば、靴の安定性や保温性、クッション性、路面把握性などを考慮して選択することができる。
【００１６】
図２に示すように、図１に示す中敷き１０が深靴１に装着されている。深靴１は靴本体部２と靴底部３を有している。そして、中敷き１０が深靴１の内部の靴底部３の表面に、中敷き１０のつま先部１３と踵部１４のそれぞれが深靴１のつま先部４と踵部５に合うように敷設される。中敷き１０の中央部分が靴底部３の表面と接着され靴底部３に固定される。中敷き１０の中央部分のみが靴底部３に固定されるため、中敷き１０のつま先部１３と踵部１４を靴底部３から離すことができる。
【００１７】
中敷き１０の一部のみが靴底部３に固定されているので、深靴１を履いて歩いても中敷き１０が深靴１の内部で動いてずれることがない。また、中敷き１０の靴底部３への固定部分が一部であるので、中敷き１０と靴底部３との間に隙間が形成され、靴内部に熱や湿気がこもることが低減される。
【００１８】
また、中敷きの踵部の厚さ（高さ）がつま先部の厚さ（高さ）より厚い（高い）ので、深靴１を履いたとき、より安定して歩行することができる。
【００１９】
上述の実施の形態では、中敷き１０の中央部分を靴底部３に固定したが、これに限らず、中敷き１０の中央部分よりつま先寄りまたは踵寄りの部分を固定してもよい。
【産業上の利用可能性】
【００２０】
本考案の中敷きを有する深靴は、様々な素材で形成される多種多様なブーツや長靴に適用することができる。
【符号の説明】
【００２１】
１    深靴
２    靴本体部
３    靴底部
１０    中敷き
１１    中敷き本体部
１２    中敷き足底部
【図１】
0003162485.tif 000003
【図２】
0003162485.tif 000004
【手続補正書】
【提出日】平成22年6月30日(2010.6.30)
【手続補正１】
【補正対象書類名】図面
【補正対象項目名】全図
【補正方法】変更
【補正の内容】
【図１】
0003162485.tif 000005
【図２】
0003162485.tif 000006
(57)【要約】      （修正有）【課題】製品の張力が均一に分散され、また組立て時間を短縮できるＬＥＤ灯具構造を提供する。【解決手段】灯具は、複数のＬＥＤが実装され、主として、ケーシングとパッド及びカバーから構成され、ケーシングの周壁に、複数のフィンが形成され、フィン同士の間に、凹槽が形成され、凹槽を利用して、パッドの一側面に形成された複数の固定部と係合して固定され、係合した後、超音波で、カバーを結合する。【選択図】図２
0003162757.tif 000002
【実用新案登録請求の範囲】
【請求項１】
複数のＬＥＤが実装され、
周壁に、複数のフィンが形成され、フィン同士の間に、凹槽が形成されるケーシングと、
一側面に、複数の、上記凹槽と係合する固定部が形成されるパッドと、
上記パッドのもう一側面に実装されるカバーと、
が含有される、
ことを特徴とするＬＥＤ灯具構造。
【請求項２】
更に、上記ケーシングの一端に、導電部が設置されることを特徴とする請求項１に記載のＬＥＤ灯具構造。
【考案の詳細な説明】
【技術分野】
【０００１】
本考案は、ＬＥＤ(Light Emitting Diode)灯具に関し、特に、灯具の組立て速率が向上されるＬＥＤ灯具構造に関する。
【背景技術】
【０００２】
科技の発展とともに、より良い照度やより省エネルギーの照明道具が、続々登場した。今、よく利用される照明光源は、発光ダイオードである。発光ダイオードは、省エネルギーや耐用寿命が長いこと、発熱しないこと及び環境保護等の利点が得られ、また、発生した光源が、冷光でありながら、耐用寿命が長く、低電気消費及び紫外線輻射無しの得点を有するため、幅広く分野に適用されていて、特に、省エネが提唱された現在では、発光ダイオードの低電気消費の利点が、重要視されている。また、石化エネルギーが枯れてしまって、環境保護の意識が高まる今では、いかに、各分野に、発光ダイオードを有効に利用することは、皆さんが、注目しているため、市場に、様々の発光ダイオードを適用する照明設備は、続々に登場した。
【０００３】
しかしながら、既存の発光ダイオードの照明灯具は、粘着材で粘着することや係合部材でロックすることにより、組立てられ、そのため、全体としての構造は、理想的ではなく、組立てに時間が掛かり、そして、全体としての生産効率に悪影響を与える。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、パッドとケーシングとを組合わせることにより、製品の張力が均一に分散され、また、全体としての組立て速率が向上されるＬＥＤ灯具構造を提供する。
【０００６】
本考案の他の目的は、粘着材や連接部品を使用せず、組立て時間を短縮できるＬＥＤ灯具構造を提供する。
【０００７】
本考案の更に他の目的は、全体としての部品点数を低減できるＬＥＤ灯具構造を提供する。
【０００８】
本考案の更に他の目的は、コストが低下され、競争力が向上されるＬＥＤ灯具構造を提供する。
【課題を解決するための手段】
【０００９】
本考案は、上記目的を達成するためのＬＥＤ灯具構造であり、上記灯具には、複数のＬＥＤが実装され、灯具は、ケーシングとパッド及びカバーから構成され、また、ケーシングの周壁に、複数のフィンが形成され、フィン同士の間に、凹槽が形成され、凹槽を利用して、パッドの一側面に形成された複数の固定部と係合して固定され、係合した後、超音波で、カバーを結合する。
【００１０】
以下、図面を参照しながら、本考案の特徴や技術内容について、詳しく説明するが、それらの図面等は、参考や説明のためであり、本考案は、それによって制限されることが無い。
【考案を実施するための形態】
【００１１】
図１と図２を参照しながら、本考案は、ＬＥＤ灯具構造であり、上記灯具１には、複数のＬＥＤ２が実装され、灯具１は、主として、ケーシング１０とパッド１２及びカバー１４（例えば、透明や不透明）から構成され、ケーシング１０の周壁に、複数のフィン１０２が形成され、フィン１０２同士の間に、凹槽１０４が形成され、また、パッド１２一側面に、複数の固定部１２０が形成され、そして、パッド１２に、カバー１４が設置される。また、ケーシングの一端に、内部にあるＬＥＤ２を発光させる導電部１６が設置される。
【００１２】
上記の構造によれば、図３と図４のように、パッド１２の一側面に形成された複数の固定部１２０を、力を印加して、フィン１０２同士の間に形成された凹槽１０４に嵌入させ、各固定部１２０が、完全に、凹槽１０４内に位置した後、カバー１４を、パッド１２上に設置する。
【００１３】
以上のように、各部品を組立てると、超音波により、快速振動摩擦による熱エネルギーを利用して、瞬間的にプラスチック材質の融点より高い温度で、溶解させてから、１ｋｇ乃至６ｋｇの気圧と、０．３秒乃至０．６秒の硬化時間で、熔接し、最後に、パッド１２とカバー１４とを所定の時間内に、接合を完成させる。
【００１４】
パッド１２とケーシング１０との組合せにより、製品の張力が均一的に分散され、また、全体としての組立て速率が向上される。
【００１５】
そのため、本考案は、より進歩的かつより実用的で、法に従って実用新案登録請求を出願する。
【００１６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１７】
【図１】本考案のより良い実施例の立体概念図
【図２】本考案のより良い実施例の立体分解概念図
【図３】本考案のケーシングとパッドとを組合わせる状態の側面図
【図４】本考案のケーシングとパッドとを組合わせる状態の側面概念図
【符号の説明】
【００１８】
１  灯具
１０  ケーシング
１０２  フィン
１０４  凹槽
１２  パッド
１２０  固定部
１４  カバー
１６  導電部
２  ＬＥＤ
【図１】
0003162757.tif 000003
【図２】
0003162757.tif 000004
【図３】
0003162757.tif 000005
【図４】
0003162757.tif 000006
(57)【要約】      （修正有）【課題】フラッシュの光が後付ケースを透過してレンズ部分に映り込み、撮影画像に悪影響を与えることを防ぐ情報端末の後付ケースを提供する。【解決手段】透光性材料からなり、フラッシュ部分とレンズ部分の周りに遮光処理を施す。【選択図】図７
0003162733.tif 000002
【実用新案登録請求の範囲】
【請求項１】
カメラや小型フラッシュとカメラが付いた情報端末等の後付ケースに於いてケースを透光性材料で成形しフラッシュとカメラの開口部の片方又は両方の周辺２０ミリ内を遮光状態に処理した事を特徴とする後付ケース。
【請求項２】
請求項１に於いてフラッシュとカメラの開口部の片方又は両方の周辺２０ミリ内を遮光性塗料で被覆することで遮光状態に処理した事を特徴とする後付ケース。
【請求項３】
請求項１に於いてフラッシュとカメラの開口部の片方又は両方の周辺２０ミリ内を遮光性材料で置き換えることで遮光状態に処理した事を特徴とする後付ケース。
【請求項４】
請求項１に於いてフラッシュとカメラが近接している場合にそれぞれの開口部を長穴で繋ぎその周辺２０ミリ内を遮光性塗料で被覆することで遮光状態に処理した事を特徴とする後付ケース。
【請求項５】
請求項１に於いてフラッシュとカメラが近接している場合にそれぞれの開口部を長穴で繋ぎその周辺２０ミリ内を遮光性材料で置き換えることで遮光状態に処理した事を特徴とする後付ケース。
【考案の詳細な説明】
【技術分野】
【０００１】  本考案はカメラや小型フラッシュとカメラが付いた情報端末等の後付ケースに関する物である。
【背景技術】
【０００２】  従来の技術思想では、カメラが付いた情報端末等を透光性ゴムや透光性プラスチック等で覆う考案があった。
【考案の概要】
【考案が解決しようとする課題】
【０００３】  本考案は、カメラや小型フラッシュとカメラが付いた情報端末等を保護する目的の透光性ゴムや透光性プラスチック等で覆う後付ケースに於いてフラッシュの光が該後付ケースを透過してレンズ部分に映り込み、撮影画像に悪影響を与えるという問題を解決することを課題とする。
【課題を解決するための手段】
【０００４】  本考案はカメラや小型フラッシュとカメラが付いた情報端末等を透光性ゴムや透光性プラスチック等で覆う後付ケースに於いて、フラッシュの光が該後付ケースを透過してレンズ部分に映り込む事を防ぐ為に、フラッシュ部分とレンズ部分の周りに遮光処理を施す事で課題を解決する。
【考案の効果】
【０００５】  本考案は透光性材料で制作した後付ケースのフラッシュ部分とレンズ部分の周りに遮光性の塗装を施す又は遮光性の材質でフラッシュ部分とレンズ部分を区切る事によりフラッシュの光がレンズ部分に到達することを防ぐ。カメラや小型フラッシュとカメラが付いた情報端末等に該後付ケースを装着した状態でもフラッシュを使用した撮影に於いて、本来のホワイトバランスで撮影することが出来る。
【図面の簡単な説明】
【０００６】
【図１】後付ケースのレンズとフラッシュの開口部立上がり側面にそれぞれ遮光性塗料で被覆した状態の俯瞰図である。
【図２】図１の断面図である。
【図３】後付ケースの該開口部にそれぞれ遮光性の材料をインサート処理した状態の俯瞰図である。
【図４】図３の断面図である。
【図５】後付ケースの該開口部立上がり側面と該開口部周辺のケース内面を遮光性塗料で被覆した状態の俯瞰図である。
【図６】図５の断面図である。
【図７】後付ケースの該開口部周辺を含めて遮光性の材料をインサート処理した状態の俯瞰図である。
【図８】図７の断面図である。
【考案を実施するための形態】
【０００７】  カメラや小型フラッシュとカメラが付いた情報端末等をフルカバーするケースを透明プラスチック等で成型し、カメラのフラッシュ部分とレンズ部分に開口部を設ける。フラッシュ部分の開口部にはフラッシュ光がケースを透過するのを防ぐ遮光性材料をインサート成型しレンズ部分にはフラッシュ光がケースを透過してレンズ部分に影響を及ぼさないよう遮光性材料をインサート成型する。両開口部が近接している場合は両開口部周辺も含めて遮光性材料をインサート成型する。
【実施例】
【０００８】  以下、添付図面に基づいて実施例を説明する。図１は本考案の透光性材料で制作した後付ケースとカメラや小型フラッシュとカメラが付いた情報端末等本体を示す。ケース４は該本体１を全体に覆う。２はレンズ部分、３はフラッシュ部分を示す。４は該ケース、４ａはカメラ挿入開口部、５はカメラのレンズ部分に対する開口部、６はフラッシュ部分にたいする開口部である。【０００９】  図２は該本体１に該ケース２を被せた状態の断面図である。開口部５、６の立上がり側面５ａ、６ａを遮光性塗料で被覆している。フラッシュの発光は被覆６ａにより遮蔽され、透光性材料からなるケースの透過を最小限に防ぐ。また該ケースを透過した光が被覆５ａにより遮蔽されレンズ部分５への影響を最小限に抑えている。【００１０】  図３は該ケースの両開口部の被覆５ａ、６ａを遮光性材料からなる円筒形材５ｂ、６ｂで置き換えた実施例である。金属や黒色樹脂等の遮光率の高い材料によりフラッシュ光のケースへの透過をさらに抑えることが出来る。図４は図３の断面図である。【００１１】  図５は図１に示す該ケースの両開口部の被覆５ａ、６ａにケース内面の該開口部周辺の遮光性塗料による被覆６ｃを加えた実施例を示す。被覆６ｃにより該本体１と両開口部分の隙間から洩れるフラッシュ光のケースへの透過を最小限に防ぐ効果がある。図６は図５の断面図である。【００１２】  図７は該ケースの両開口部５、６が近接している場合、遮光性材料からなる遮光板６ｄで両開口部５、６を一体に形成した実施例である。遮光板６ｄはフラッシュ光のケースとカメラ間の隙間での反射を防ぐために黒色艶消し処理が望ましい。図８は図７の断面図である。
【符号の説明】
【００１３】１カメラや小型フラッシュとカメラが付いた情報端末等本体
２レンズ部分
３フラッシュ部分
４透光性材料で制作した後付ケース
５レンズ部分開口
６フラッシュ部分開口
【図１】
0003162733.tif 000003
【図２】
0003162733.tif 000004
【図３】
0003162733.tif 000005
【図４】
0003162733.tif 000006
【図５】
0003162733.tif 000007
【図６】
0003162733.tif 000008
【図７】
0003162733.tif 000009
【図８】
0003162733.tif 000010
(57)【要約】      （修正有）【課題】マスク本体へシリコンゴム等の弾性材料で作られた滑り止め部材を装着して、会話によるマスクの上下のズレが発生するのを抑えられる様にしたマスクを提供する。【解決手段】マスク本体１の中央上部に、シリコンゴム等の弾性材料で作られた滑り止め部材２を装着することで、ズレたマスクを元の位置に戻す為に行っていたマスク前面への手先の接触を防ぎ、細菌及びウイルスによる感染リスクを小さくする。【選択図】図１
0003162712.tif 000002
【実用新案登録請求の範囲】
【請求項１】
マスク装着時の会話中に発生するマスクの上下のズレを抑え、ズレたマスクを元の位置に戻す為に行っていたマスク前面への手先の接触を防ぎ、細菌及びウイルスによる感染リスクを小さくするシリコンゴム等の弾性材料で作られた滑り止め部材を装着したマスク。
【考案の詳細な説明】
【技術分野】
【０００１】
本考案は、会話中に起こるマスクの上下のズレを解決する為に、マスク中央上部にシリコンゴム等の弾性材料で作られた滑り止め部材を装着したものである。
【背景技術】
【０００２】
従来は、上下のズレを抑えるシリコンゴム等の弾性材料で作られた滑り止め部材を装着したマスクは発売されて無かった。
【考案の概要】
【考案が解決しようとする課題】
【０００３】
会話中にマスクのズレが発生すると、マスクのズレを直す為にマスク前面を摘まみ、マスクがズレる前の元の位置へ戻す作業を行いがちになるため、マスク前面に付着したウイルス、細菌に触れてしまう為、それらに感染してしまう危険性の問題があった。
【課題を解決するための手段】
【０００４】
マスク本体１の上部２の部位に、会話中に発生するマスクの上下のズレを抑える目的で、シリコンゴム等の弾性材料で作られた滑り止め部材を装着した。
【考案の効果】
【０００５】
会話によるマスクの上下のズレが発生するのを抑える事で、それによるマスクを元の位置に戻す為に行っていたマスク前面への手先の接触を防ぎ、細菌及びウイルスによる感染リスクを小さくする事ができる。
【図面の簡単な説明】
【０００６】
【図１】マスク本体１とマスクの上下のズレを抑える目的で、マスク中央上部に装着したシリコンゴム等の弾性材料で作られた滑り止め部材２を示す平面図である。
【考案を実施するための形態】
【０００７】
本考案のマスク本体１とマスク本体中央上部に薄いシリコンゴム等の弾性材料で作られた滑り止め部材２が装着されている。このシリコンゴム等の弾性材料で作られた滑り止め部材２は瞬間接着剤等でマスクに装着されている。
【符号の説明】
【０００８】
１  マスク本体
２  シリコンゴム等の弾性材料で作られた滑り止め部材を装着する部位
【図１】
0003162712.tif 000003
【手続補正書】
【提出日】平成22年7月12日(2010.7.12)
【手続補正１】
【補正対象書類名】実用新案登録請求の範囲
【補正対象項目名】請求項１
【補正方法】変更
【補正の内容】
【請求項１】
マスク装着時の会話中に発生するマスクの上下のズレを抑え、ズレたマスクを元の位置に戻す為に行っていたマスク前面への手先の接触を防ぎ、細菌及びウイルスによる感染リスクを小さくする弾性材料で作られた滑り止め部材をマスク本体中央上部に装着したマスク。
(57)【要約】      （修正有）【課題】加工が容易で、製品誤差の少ない、卓上カレンダーのスタンド用プレートを提供する。【解決手段】板状をなす本体の平面接触部のうち、中央部に比べて左右部に厚みを持たす。【選択図】図１
0003162711.tif 000002
【実用新案登録請求の範囲】
【請求項１】
板状でできたパーツの平面接触部のうち、数箇所が他部と比較して厚く形成されたことを特徴とするスタンド用プレート。
【考案の詳細な説明】
【技術分野】
【０００１】本考案はカレンダーを卓上用として使用する際のスタンド用プレートに関する。
【背景技術】
【０００２】  卓上カレンダーが知られているが、特にプラスチックケースが一般的に使用されている。プラスチックケースは、そのスタンド用部品を使用することにより卓上カレンダーとして使用することができる。
【考案の開示】
【考案が解決しようとする課題】
【０００３】  本考案は上記に鑑みて為されたものであり、加工が容易で製品誤差の少ない卓上カレンダーを提供することを目的とする。【０００４】  プラスチックケースは射出成型により加工されるため、加工誤差によりスタンド部が不安定なものが形成される。この不安定なスタンド部は、卓上カレンダーとして使用する際、平面との接触部が不安定で左右に傾斜したり回転したりする。
【課題を解決するための手段】
【０００５】  上記課題を解決する本考案のスタンド用プレートは、板状をなす本体の平面接触部のうち、中央部に比べて左右部に厚みを持たすことにした。
【考案の効果】
【０００８】  本考案のスタンド用プレートは、左右２点で本体を支持することにより、接触部が安定し左右の傾斜や回転するなどの不良を防ぐ。
【考案を実施するための最良の形態】
【０００９】  本考案のスタンド用プレートにおいて以下詳細に説明を行う。図１に示すように本体部を保持し平面部と数箇所で接触する。
【実施例】
【００１０】  以下、本考案のスタンド用プレートを、図面を基に説明する。
【実施例１】  実施例１のスタンド用プレートは、上記構成を備える。実施例１のスタンド用プレートを模式的に表す側面図を図１に、断面図を図２にそれぞれ示す。
【図面の簡単な説明】
【００１１】
【図１】実施例１のスタンド用プレートを模式的に表す側面図である。
【図２】実施例１のスタンド用プレートを模式的に表す断面図である。
【図３】実施例１のスタンド用プレートを使い自立した卓上カレンダーの斜視図である。
【符号の説明】
【００１２】１：凸条面、２：凹条部
【図１】
0003162711.tif 000003
【図２】
0003162711.tif 000004
【図３】
0003162711.tif 000005
【手続補正書】
【提出日】平成22年6月25日(2010.6.25)
【手続補正１】
【補正対象書類名】実用新案登録請求の範囲
【補正対象項目名】全文
【補正方法】変更
【補正の内容】
【実用新案登録請求の範囲】
【請求項１】
平面上に載置されるスタンド用プレートにおいて、前記平面と接触する板状をなす本体の平面接触部を有し、当該平面接触部のうち、数箇所が他部と比較して厚く形成されたことを特徴とするスタンド用プレート。
【手続補正２】
【補正対象書類名】明細書
【補正対象項目名】全文
【補正方法】変更
【補正の内容】
【考案の詳細な説明】
【技術分野】
【０００１】  本考案はカレンダーを卓上用として使用する際のスタンド用プレートに関する。
【背景技術】
【０００２】  卓上カレンダーが知られているが、特にプラスチックケースが一般的に使用されている。プラスチックケースは、そのスタンド用部品を使用することにより卓上カレンダーとして使用することができる。
【考案の開示】
【考案が解決しようとする課題】
【０００３】    本考案は上記に鑑みて為されたものであり、加工が容易で製品誤差の少ない卓上カレンダーを提供することを目的とする。【０００４】  プラスチックケースは射出成型により加工されるため、加工誤差によりスタンド部が
不安定なものが形成される。この不安定なスタンド部は、卓上カレンダーとして使用する際、平面との接触部が不安定で左右に傾斜したり回転したりする。
【課題を解決するための手段】
【０００５】    上記課題を解決する本考案のスタンド用プレートは、板状をなす本体の平面接触部のうち、中央部に比べて左右部に厚みを持たすことにした。
本考案のスタンド用プレートは、平面上に載置されるスタンド用プレートにおいて、前記平面と接触する板状をなす本体の平面接触部を有し、当該平面接触部のうち、数箇所が他部と比較して厚く形成されたことを特徴とする。
【考案の効果】
【０００６】本考案のスタンド用プレートは、左右２点で本体を支持することにより、接触部が安定し左右の傾斜や回転するなどの不良を防ぐ。
【考案を実施するための最良の形態】
【０００７】本考案のスタンド用プレートにおいて以下詳細に説明を行う。図１に示すように本体部を保持し平面部と数箇所で接触する。
【実施例】
【０００８】以下、本考案のスタンド用プレートを、図面を基に説明する。
【実施例１】実施例１のスタンド用プレートは、上記構成を備える。実施例１のスタンド用プレートを模式的に表す側面図を図１に、断面図を図２にそれぞれ示す。
【図面の簡単な説明】
【０００９】
【図１】実施例１のスタンド用プレートを模式的に表す側面図である。
【図２】実施例１のスタンド用プレートを模式的に表す断面図である。
【図３】実施例１のスタンド用プレートを使い自立した卓上カレンダーの斜視図である。
【符号の説明】
【００１０】１：凸条面、２：凹条部
(57)【要約】      （修正有）【課題】ティッシュペーパーの束が包みから出てしまうことがなく、ティッシュペーパーを中から取り出すことができる携帯用ティッシュペーパーを提供する。【解決手段】携帯用ティッシュペーパーを包むビニール袋の中央部直線上のミシン目の両端１〜２ｃｍ部分のミシン目をなくす。【選択図】図１
0003162717.tif 000002
【実用新案登録請求の範囲】
【請求項１】
携帯用ティッシュペーパーを包むビニール袋の取り出し口にするためにビニール袋の中央部直線上にミシン目が施されているがその部分の両端それぞれを１〜２ｃｍずつにミシン目にしない部分を設けた携帯用テイッシュペーパー
【考案の詳細な説明】
【考案の詳細な説明】
現在、多くのものが花粉症に悩まされ、特に春先から、初夏にかけては、ティッシュペーパーが必需品となります。こういう時期でも外出する機会は数多くあり、ティッシュペーパーを持ち歩く必要があります。このとき携帯用ティッシュペーパーをポケットに入れて出歩くことになります。
従来の携帯用ティッシュペーパーは、ミシン目が端から端まで付いているため、中のティッシュペーパーを取り出そうとミシン目に沿って開くと、両端まで開くことになります。使用目的で、中のティッシュペーパーを１部取り出し、ポケットに入れると、明け口が広いため、いつの間にか、ビニール袋の包みからティッシュペーパーの束が出てしまうということになりがちです。
本考案は、この点を解決するためのものであります。ミシン目のない部分が、両端にできることで、包みの開く部分が狭まります。このことで中からティッシュペーパーを取り出すには十分な広さですが、そこからティッシュペーパーの束が飛び出すことを防ぐことができます。
【図面の簡単な説明】１．携帯用ティッシュペーパーの包みにあるミシン目
２．３．ミシン目のない部分
【図１】
0003162717.tif 000003
【手続補正書】
【提出日】平成22年7月5日(2010.7.5)
【手続補正２】
【補正対象書類名】明細書
【補正対象項目名】全文
【補正方法】変更
【補正の内容】
【考案の詳細な説明】
【０００１】考案の詳細な説明  現在、多くのものが花粉症に悩まされ、特に春先から、初夏にかけてはティッシュペーパーが必需品となります。こういう時期でも外出する機会は数多くあり、ティッシュペーパーを持ち歩く必要があります。このとき携帯用ティッシュペーパーをポケットに入れて出歩くことになります。  従来の携帯用ティッシュペーパーは、ミシン目が端から端まで付いているため、中のティッシュペーパーを取り出そうとミシン目に沿って開くと、両端まで開くことになります。使用目的で中のティッシュペーパーを１部取り出しポケットに入れると、明け口が広いためいつの間にか、ビニール袋の包みからティッシュペーパーの束が出てしまうということになりがちです。  本考案は、この点を解決するためのものであります。ミシン目のない部分が、両端にできることで、包みを開く部分が狭くなります。このことで中からティッシュペーパーを取り出すには十分な広さですが、そこからティッシュペーパーの束が飛び出すことを防ぐことができます。
【図面の簡単な説明】
【０００２】
【図１】本考案の全体図である
【符号の説明】
【０００３】１．携帯用ティッシュペーパーの包みにあるミシン目２．３．ミシン目のない部分
(57)【要約】      （修正有）【課題】構造が簡単で、サイズが小さいという特色を有する改良された静電容量式タッチスクリーンを提供する。【解決手段】基材１０、駆動ＩＣ２０、ＩＴＯ回路、フレキシブルプリント基板が備わり、該駆動ＩＣは、基材のパネル上に直接に実装され、そこからワイヤ２１を基材のパネルの外に引くように設けられている。駆動ＩＣを直接に基材のパネルに実装させることで、タッチスクリーンのフレキシブルプリント基板のサイズが小さくなり、フレキシブルプリント基板から複数のワイヤを簡単に引くようにして、単一パネルの設計が簡単に行われることになり、そこで、製品全体におけるタッチスクリーンの占める空間が大幅に削減可能、製品の設計スペースの削減、そして設計や生産コストの削減にも有効な効果がある。【選択図】図１
0003162770.tif 000002
【実用新案登録請求の範囲】
【請求項１】
基材、駆動ＩＣ、ＩＴＯ回路、フレキシブルプリント基板が備わり、該駆動ＩＣは、基材のパネル上に直接に実装され、そこからワイヤを基材のパネルの外に引くように設けられていることを特徴とする改良された静電容量式タッチスクリーン。
【請求項２】
該基材は、ガラスまたはフィルムであることを特徴とする請求項１に記載の静電容量式タッチスクリーン。
【請求項３】
該ＩＴＯ回路は、単層または二層に設けられていることを特徴とする請求項２に記載の静電容量式タッチスクリーン。
【考案の詳細な説明】
【技術分野】
【０００１】
本考案は、タッチスクリーンに関わり、特に、静電容量式タッチスクリーンの技術分野に関する。
【背景技術】
【０００２】
静電容量式タッチスクリーンは、一つの駆動ＩＣが設けられているが、従来の静電容量式タッチスクリーンにおいて、該駆動ＩＣの設けられたフレキシブルプリント基板（ＦＰＣ）は、更に、基材であるガラス（ＧＬＡＳＳ）またはフィルム（ＦＩＬＭ）のパネル上に実装されることになっているが、そのような設計では、フレキシブルプリント基板のサイズが大きくなり、  表示モジュールを組み合わせると、大きなスペースが掛かり、製品設計の困難さが大きくなり、製品全体の設計コストも増加する。
【考案の開示】
【考案が解決しようとする課題】
【０００３】
本考案は、従来の既存技術の不十分なところについて、構造が簡単で、サイズが小さいという特色を有する改良された静電容量式タッチスクリーンを提供することを目的とする。
【課題を解決するための手段】
【０００４】
上述の目的を達成させるため、本考案は、基材、駆動ＩＣ、ＩＴＯ回路、フレキシブルプリント基板が備わり、該駆動ＩＣは、基材のパネルに直接に実装され、そこからワイヤを基材のパネルの外に引くように設けられていることを特徴とする改良された静電容量式タッチスクリーンを提供する。
【０００５】
該基材は、ガラスまたはフィルムであることを特徴とする。
該ＩＴＯ回路は、単層または二層に設けられていることを特徴とする。
【考案の効果】
【０００６】
本考案は、駆動ＩＣを直接に基材のパネルに実装させることで、タッチスクリーンのフレキシブルプリント基板のサイズが小さくなり、フレキシブルプリント基板から複数のワイヤを簡単に引くようにして、単一パネルの設計が簡単に行われることになり、そこで、製品全体におけるタッチスクリーンの占める空間が大幅に削減可能、製品の設計スペースの削減、そして設計や生産コストの削減にも有効な効果がある。
【図面の簡単な説明】
【０００７】
【図１】改良された静電容量式タッチスクリーン分解図である。
【考案を実施するための形態】
【０００８】
以下の内容は、本考案の好適な実施例のみについて説明するものであり、それを以って、本考案の特許請求範囲を制限してはならないとする。
【０００９】
図１に示すように、本考案的静電容量式タッチスクリーンは、基材１０、駆動ＩＣ２０、ＩＴＯ回路、フレキシブルプリント基板等（未図示）が備わり、基材１０は、ガラスまたはフィルムで、ＩＴＯ回路は、二層または単層に設けられてもよく、駆動ＩＣ２０は、直接に基材１０のパネル上に実装され、そこからワイヤ２１を基材１０のパネルの外に引くように設けられている。
【符号の説明】
【００１０】
１０    基材
２０    駆動ＩＣ２０
２１    ワイヤ
【図１】
0003162770.tif 000003